(57)【要約】【課題】ＴＶ放送される帯番組について記録再生装置に記録された帯番組のＣＭとオープニング、エンディングをスキップして連続再生すること。【解決手段】テレビ放送またはビデオ信号をデジタル信号として記録再生できるＨＤＤ等の記録再生部６を備えた映像記録再生装置において、テレビ放送の帯番組における放送曜日、放送時刻、放送チャンネル等の録画予約の基本情報を格納する連続記録再生情報用メモリ１２を設け、記録された帯番組における本編以外の再生スキップしたい情報を特定する再生不要領域データを基本情報と関連させて格納する再生不要領域情報用メモリ１１を設け、再生不要領域情報用メモリ１１から読み込まれた再生不要領域データに基づいて、記録再生部６に記録された帯番組の再生不要領域をスキップして帯番組を連続再生する。【選択図】図１
2007028414.tif 000002
【特許請求の範囲】
【請求項１】
テレビ放送またはビデオ信号をデジタル信号として記録再生できるＨＤＤ、ＤＶＤドライブ等の記録再生部を備えた映像記録再生装置において、
テレビ放送の帯番組における放送曜日、放送時刻、放送チャンネル等の録画予約の基本情報を格納する連続記録再生情報用メモリを設け、
前記記録された帯番組における本編以外の再生スキップしたい情報を特定する再生不要領域データを前記基本情報と関連させて格納する再生不要領域情報用メモリを設け、
前記再生不要領域情報用メモリから読み込まれた前記再生不要領域データに基づいて、前記記録再生部に記録された帯番組の再生不要領域をスキップして、前記帯番組を連続再生する
ことを特徴とする映像記録再生装置。
【請求項２】
請求項１において、
前記再生不要領域情報用メモリに格納された再生不要領域データは、前記記録再生部に記録された複数の帯番組の内の任意の帯番組を再生することによって、スキップしたい領域を検索して設定されるものであり、
さらに、前記任意の帯番組以外の他の帯番組においても前記設定された再生不要領域データが共有される
ことを特徴とする映像記録再生装置。
【請求項３】
ビデオ信号をデジタル信号として記録再生できるＨＤＤ、ＤＶＤドライブ等の記録再生部を備えた映像記録再生装置において、
連続ドラマ番組または連続アニメーション番組を組み込んだＤＶＤパッケージソフトにおけるプレイリストを格納する連続記録再生情報用メモリを設け、
前記記録されたＤＶＤパッケージソフトにおける本編以外の再生スキップしたい情報を特定する再生不要領域データを前記プレイリストと関連させて格納する再生不要領域情報用メモリを設け、
前記再生不要領域情報用メモリから読み込まれた前記再生不要領域データに基づいて、前記記録再生部に記録されたＤＶＤパッケージソフトの再生不要領域をスキップして、前記ＤＶＤパッケージソフトを連続再生する
ことを特徴とする映像記録再生装置。
【請求項４】
請求項３において、
前記再生不要領域情報用メモリに格納された再生不要領域データは、前記記録再生部に記録された複数のプレイリストの内の任意のプレイリストを再生することによって、スキップしたい領域を検索して設定されるものであり、
さらに、前記任意のプレイリスト以外の他のプレイリストにおいても前記設定された再生不要領域データが共有される
ことを特徴とする映像記録再生装置。
【請求項５】
テレビ放送またはビデオ信号をデジタル信号として記録再生できるＨＤＤ、ＤＶＤドライブ等の記録再生部を備え、テレビ放送の帯番組における放送曜日、放送時刻、放送チャンネル等の録画予約の基本情報を格納する連続記録再生情報用メモリを設け、前記記録された帯番組における本編以外の再生スキップしたい情報を特定する再生不要領域データを前記基本情報と関連させて格納する再生不要領域情報用メモリを設けて、前記帯番組の再生不要領域をスキップして前記帯番組を連続再生する再生方法であって、
前記記録再生部に録画された帯番組を選択して再生を開始するステップと、
前記再生不要領域データを反映させるモードが選択された場合、前記再生不要領域情報用メモリに格納されたデータを読み込むステップと、
前記読み込まれたデータに基づいて再生不要領域をスキップするステップと、  前記再生不要領域のスキップ後に、前記帯番組の本編の再生を行うステップと、  前記本編の再生終了が確認された後、次の帯番組を再生するステップと、からなる
ことを特徴とする帯番組を連続再生する再生方法。
【発明の詳細な説明】
【技術分野】
【０００１】
本発明は、映像信号などをデジタルデータで記録媒体に記録し、再生時に任意のシーンをスキップして再生する再生方法及び映像記録再生装置に関する。
【背景技術】
【０００２】
従来、毎週決まった曜日と時間、または毎日決まった時間に放送されるテレビ放送番組（以下、帯番組と称する）を続けて記録再生装置に記録した後でまとめて視聴する場合、本編以外のコマーシャルメッセージ（以下、ＣＭと称する）期間とオープニングやエンディング期間を早送りやスキップして本編を視聴することが多い。しかし、その都度この操作を繰り返す必要があり視聴者にとっては煩わしい操作である。
【０００３】
近年はこの操作をなくすためにＣＭ期間を記録しない記録再生装置が提案されている。この種の記録再生装置に用いられる方法として音声信号モードがモノラル信号、二ヶ国語信号、ステレオ信号の３モードがあり、番組の本放送はモノラルまたは二ヶ国語で放送されＣＭはステレオで放送されることが多い。したがって、放送がステレオ音声であるかモノラル音声、または二ヶ国語放送であるかで判断し、ステレオ放送ならであるならＣＭと判断しＣＭ期間を記録しない方法がＶＣＲ等の発明で提案されている。
【０００４】
さらに、従来技術として、例えば特許文献１では、ＣＭ期間も記録し、再生時にステレオ放送であればＣＭと判断しＣＭ部分をスキップする方法や、本編とＣＭがステレオ方法の場合、ステレオ放送される時間を解析してＣＭと本編を判別する方法が提案されている。また、特許文献２では、アナログ映像信号の垂直ブランキング期間の２０ライン目にある２０ビット情報の未使用ビットに放送局側がＣＭ期間であることを示すビットパターンを挿入して放送される場合に、受信側の記録再生装置はこのビットパターンを解析し、ＣＭ期間であるかそれ以外の期間かを判別し、ＣＭ期間であると判別されればこの期間の記録をストップし、ＣＭ期間以外であると判別されれば記録を行うとするＣＭ期間の検出方法も提案されている。
【特許文献１】特開２００１−３２０６７４号公報
【特許文献２】特開２００２−１９９３２１号公報
【発明の開示】
【発明が解決しようとする課題】
【０００５】
しかしながら、上記特許文献１に示すように、放送がステレオ放送とそれ以外であるかを判別する方法の場合、例えば音楽番組ではＣＭと本放送が同じステレオ放送である場合が近年多く、この様な番組の場合にはＣＭと本放送の区別が出来ず本放送が記録できない可能性や、時間でＣＭ期間と本編を判別する方法も正確に判別はでき難いため本編やＣＭの途中から再生する可能性がある。
【０００６】
また、上記特許文献２に示すように、垂直ブランキング期間の２０ライン目にある２０ビット情報の未使用ビットを利用した方法では送信側（放送局）がこの情報を付加する必要があり、また規格として決まった情報ではないため実用的ではない。
【０００７】
これらの提案はＣＭ期間に限ってこの期間をスキップして記録または再生する提案であり、番組のオープニングやエンディングについて視聴者はその都度早送りやスキップの操作を行う必要があった。また、市販されている連続ドラマや連続アニメーション番組のＤＶＤソフトの再生のオープニングやエンディングについてもその都度早送りやスキップの操作を行う必要があった。
【０００８】
本発明は、ＴＶ放送される帯番組について音声モードや垂直ブランキング期間の情報ビットに関係なく記録再生装置によって記録された帯番組のＣＭ期間とオープニング期間およびエンディング期間をスキップして再生することを可能し、さらに、市販されている連続ドラマや連続アニメーション番組のＤＶＤソフトのオープニングやエンディングについてもスキップ再生することを可能とする記録再生装置を提供することを目的とする。
【課題を解決するための手段】
【０００９】
前記課題を解決するために、本発明は主として次のような構成を採用する。  
テレビ放送またはビデオ信号をデジタル信号として記録再生できるＨＤＤ、ＤＶＤドライブ等の記録再生部を備えた映像記録再生装置において、
テレビ放送の帯番組における放送曜日、放送時刻、放送チャンネル等の録画予約の基本情報を格納する連続記録再生情報用メモリを設け、
前記記録された帯番組における本編以外の再生スキップしたい情報を特定する再生不要領域データを前記基本情報と関連させて格納する再生不要領域情報用メモリを設け、
前記再生不要領域情報用メモリから読み込まれた前記再生不要領域データに基づいて、前記記録再生部に記録された帯番組の再生不要領域をスキップして、前記帯番組を連続再生する構成とする。
【００１０】
また、前記映像記録再生装置において、前記再生不要領域情報用メモリに格納された再生不要領域データは、前記記録再生部に記録された複数の帯番組の内の任意の帯番組を再生することによって、スキップしたい領域を検索して設定されるものであり、
さらに、前記任意の帯番組以外の他の帯番組においても前記設定された再生不要領域データが共有される構成とする。
【発明の効果】
【００１１】
本発明によると、記録媒体に録画された帯番組や市販されている連続番組のＤＶＤソフト再生の際、再生不要な領域の情報を再生中に専用のメモリに一度格納しておき、次回の再生からは再生不要領域情報を専用メモリから読み出し、この情報に沿って再生を制御することによって本編のみの連続再生が自動で可能となり、より快適に視聴することができる。
【発明を実施するための最良の形態】
【００１２】
本発明の実施形態に係る映像記録再生装置について、図面を参照しながら以下詳細に説明する。図１は本発明の実施形態に係る映像記録再生装置の構成を示す図ロック図である。
【００１３】
図１において、１は放送局より送られるＴＶ電波を受信するＴＶチューナであり、２はチューナ１から出力されるアナログの映像信号および音声信号をデジタル信号に変換するＡ／Ｄ変換器であり、３はＡ／Ｄ変換器２からのデジタル信号をＭＰＥＧ２方式の符号化されたビットストリームに変換するＭＰＥＧ２エンコーダであり、４はリモコン５から発せられる信号を受信するリモコンインターフェースである。
【００１４】
６はＭＰＥＧ２にエンコードされたデジタル信号を記録再生、または市販のＤＶＤパッケージソフトを再生するための映像音声記録再生部（ＤＶＤドライブまたはＨＤＤなど）であり、７は映像音声記録再生部６をユーザーの任意のタイミングで記録再生の制御をする記録再生制御部であり、８は記録再生装置全体１４を制御するためのＣＰＵである。
【００１５】
９はＭＰＥＧ２の符号化されたビットストリーム信号を復号するＭＰＥＧ２デコーダ部であり、１０は複合化されたデジタル信号をアナログ信号に変換するＤ／Ａ変換部であり、１１は再生不要領域情報を格納する再生不要領域情報専用メモリであり、１２は連続記録再生するための情報を格納する連続記録再生情報専用メモリである。１３はＤ／Ａ変換されたアナログ信号を映し出すモニターＴＶである。
【００１６】
次に、本実施形態に係る映像記録再生装置を用いて毎週定期的に放送されるＴＶ番組を記録する記録方法について、図面を参照しながら以下説明する。図２はＴＶ放送の帯番組を録画する際の録画情報設定フローを示す図であり、図４は本実施形態に関する連続記録再生情報専用メモリに格納される帯番組録画予約情報のテーブル表である。図２に示す様に、ユーザーが毎日または毎週定期的に放送されるＴＶ番組をリモコンまたは本体より操作し、放送チャンネル、放送予定日、開始時刻、終了時刻を個別に入力し、またはＴＶ番組を８桁のコードで入力するＧコードで入力し、記録モード、毎日または毎週録画を入力すると、ＣＰＵ８を介して連続記録再生情報専用メモリに図４に示すテーブルとして格納される。ＣＰＵ８は、図４に示すテーブルを参照して定期的な帯番組の録画を記録再生制御部７を制御して行う。
【００１７】
次に、上述した予約録画処理にて録画した帯番組に関する再生不要領域の設定方法について、図面を参照しながら以下説明する。図６は本実施形態に関する帯番組におけるＣＭ、オープニング、本編、エンディング、ＣＭの配列例を示す図である。図６に示す様に、毎日または毎週定期的に放送されている帯番組は、番組開始時刻、ＣＭが挿入される時間帯、オープニングの時間帯、本編途中に挿入されるＣＭの時間帯、エンディング及びその後のＣＭの時間帯は同じであることが多い。
【００１８】
この様な帯番組おいて、本編の前後または間に記録されているＣＭやオープニングとエンディングはスキップして本編だけを楽しみたいとする場合、再生したい帯番組の任意の放送日を連続記録再生情報専用メモリのテーブルから選んで再生する。そして、ＣＭやオープニング、エンディング等のスキップする期間を一度最初から再生しながらリモコン５や本体操作ボタンを使い設定する。設定された情報はＣＰＵ８を介して再生不要領域情報専用メモリに格納される。
【００１９】
図５は本実施形態に関するＴＶ放送帯番組の再生不要領域を設定するタイミングを示す図である。図５は図６に示す帯番組についてスキップする期間を具体的に示した例である。３０分の帯番組についてユーザーが番組開始時刻から本編の開始時刻までと本編途中のＣＭ期間、本編終了後のエンディング及びＣＭ期間をスキップする場合、再生不要開始位置設定を００：００、１４：０６、２６：１３と設定し、再生不要終了位置設定を０２：１０、１６：００、２９：５９と設定する。設定の方法は再生画像を確認しながら再生不要開始位置でリモコンまたは本体操作で専用ボタンを押すこと、または専用の操作を行うことで設定する様にしても良い。
【００２０】
図３は本実施形態に関するＴＶ放送帯番組の再生不要領域を設定する手順を示すフローチャートである。図３において、まず、再生不要領域設定モードに移り任意の帯番組を再生する。スキップしたい開始位置をサーチやコマ送りで探し設定し適宜の専用メモリに格納する（Ｆ８）。次にスキップを終了する位置をサーチやコマ送りで探し（Ｆ９）、スキップを終了させたい位置を設定し適宜の専用メモリに格納する（Ｆ１０）。次に本編を再生またはサーチ（Ｆ１１）しながらＣＭが開始する位置を検索する（Ｆ１２）。スキップしたいＣＭの開始位置を設定し適宜の専用メモリに格納する（Ｆ１３）し、スキップを終了させたいＣＭの位置を設定（Ｆ１４）し適宜の専用メモリに格納する（Ｆ１５）。
【００２１】
次に、本編を再生またはサーチ（Ｆ１６）しながら本編が終了後のスキップの開始位置を設定し適宜の専用メモリに格納する（Ｆ１７）。これらの情報を連続記録再生情報専用メモリ１２に格納された録画情報参照テーブルを元に、図７に示す様な再生不要領域設定テーブルを再生不要領域情報専用メモリ１１に格納する。図７は本実施形態に関する再生不要領域情報専用メモリに格納される帯番組再生不要領域情報のテーブル表である。図７に示す再生不要領域設定テーブルではそれぞれの帯番組を各グループに分ける様に制御され、上記で説明した帯番組は例としてＢ−０としたグループに分けている（図７に示すグループＮｏを参照）。それぞれのグループで設定された再生不要領域情報はそれぞれのグループで共有される。
【００２２】
次に、テレビ放送の連続ドラマや連続アニメーション番組の市販されているＤＶＤパッケージソフトの再生不要領域の設定方法について図面を参照しながら以下説明する。この様なＤＶＤパッケージソフトは、ＣＭがなくオープニングと本編とエンディングから構成されている。ユーザーがオープニングとエンディングをスキップして本編のみを視聴する様な設定をする場合について説明する。なお、このＤＶＤパッケージソフトはテレビ放送された番組に限ることはなく、独自に制作された番組であってよい。
【００２３】
図９は本実施形態に関する市販ＤＶＤパッケージソフトの再生不要領域を設定するタイミングを示す図である。図９において、３０分の番組においてオープニングとエンディングはそれぞれ００：００から０２：１０と２６：１３から２９：５９である。図１０は本実施形態に関する再生不要領域情報専用メモリに格納される市販ＤＶＤパッケージソフトの再生不要領域情報のテーブル表である。図１０に示す再生不要領域設定テーブルに図９に示す情報を反映させてＣＰＵ８を介して再生不要領域情報専用メモリ１１に格納する。
【００２４】
次に、再生不要領域の設定されたＴＶ番組録画の帯番組再生について、図１１及び図１２を用いて以下説明する。図１１はＴＶ放送された帯番組の再生フロー図である。映像音声記録再生部６にセットされたＤＶＤ記録メディアまたはＨＤＤに録画された帯番組を選択し再生を開始する。再生を始める前に再生不要領域データを反映させるモードの選択を行う（Ｆ２６）。通常再生の場合は（Ｆ２６でＮＯ）録画された番組をそのままスキップせずに再生する（Ｆ３２）。再生不要領域データを反映させるモードが選択された場合（Ｆ２６でＹＥＳ）、再生不要領域情報専用メモリ１１に格納されたデータをＣＰＵ８が読み込む（Ｆ２７）。読み込まれたデータに基づき記録再生制御部７が再生不要領域をスキップする（Ｆ２８）。再生不要領域がスキップされた後、本編の再生を行う（Ｆ２９）。本編の終了が確認された後（Ｆ３０）、エンディングをスキップして次の放送回を再生する（Ｆ３１のＹＥＳ）。次の放送回を再生しない場合は再生終了となる（Ｆ３１のＮＯ）。
【００２５】
図１２は本実施形態に関するＴＶ放送の帯番組を連続再生する手順を示す説明図である。グループＮｏＢ−１からグループＮｏＢ−３（図７を参照）まで連続して再生する場合、再生不要領域情報専用メモリ１１に格納された情報を元に再生不要部分をスキップして本編だけを連続再生する様に（図１２に示す「本編だけ再生」部分を連続して再生）ＣＰＵ８によって制御する。
【００２６】
次に、再生不要領域の設定された市販のＤＶＤパッケージソフトの再生について図１３および図１４を用いて以下説明する。図１３は連続ドラマや連続アニメーション番組のＤＶＤソフトの再生フロー図である。映像音声記録再生部６にセットされたＤＶＤ−ＲＯＭソフトの再生を始める前に再生不要領域データを反映させるモードの選択を行う（Ｆ４０）。通常再生の場合は（Ｆ４０でＮＯ）録画された番組をそのままスキップせず再生する（Ｆ４６）。再生不要領域データを反映させるモードが選択された場合（Ｆ４０でＹＥＳ）、再生不要領域情報専用メモリ１１に格納されたデータをＣＰＵ８が読み込む（Ｆ４１）。読み込まれたデータに基づき記録再生制御部７が再生不要領域をスキップする（Ｆ４２）。再生不要領域がスキップされた後、本編の再生を行う（Ｆ４３）。本編の終了が確認された後（Ｆ４４）、エンディングをスキップして次の放送回を再生する（Ｆ４５のＹＥＳ）。次のプレイリストを再生しない場合は再生終了となる（Ｆ４５のＮＯ）。
【００２７】
図１４は本実施形態に関する市販ＤＶＤパッケージソフトを連続再生する手順を示す説明図である。プレイリスト２からプレイリスト４（図１０を参照）まで連続して再生する場合、再生不要領域情報専用メモリ１１に格納された情報を元に再生不要部分をスキップして本編だけを連続再生する様に（図１４に示す「本編だけ再生」部分を連続して再生）ＣＰＵ８によって制御する。このように、連続記録再生情報専用メモリで格納管理されたこのＤＶＤパッケージソフトにおけるプレイリストにしたがって順に再生することで、連続したドラマやアニメーションとして視聴できるのである（帯番組のＴＶ放送と同様に）。
【００２８】
以上の様に、本実施形態に係る映像記録再生装置においては、定期的に放送される帯番組を続けて録画し、この帯番組を連続して再生する場合や、市販の連続ドラマや連続アニメーション番組のＤＶＤパッケージソフトを連続再生する場合、連続記録再生情報専用メモリ１２に帯番組を連続して記録再生するための基本情報を格納し（図４を参照）、帯番組の最初の再生時に再生不要領域をユーザーが設定し、連続記録再生情報専用メモリ１２の情報を元に再生不要領域専用メモリ１１に再生不要領域の情報（図７を参照）を格納する。一度、再生不要領域を設定すれば次回の再生からは再生不要領域専用メモリ１１の情報を元に本編だけを連続して再生することが可能となる。したがって、ユーザーがその都度、本編以外の映像をスキップすることが不要となり、より快適な視聴を図ることが出来る。
【００２９】
なお、ＴＶ放送の帯番組をＤＶＤなどの記録メディアに記録する際、記録再生情報専用メモリや再生不要領域情報専用メモリの代わりにＤＶＤの記録メディアに専用領域を設けこの領域に情報を記録し、再生時にはこの情報を参照することで同じ様に不要領域をスキップして再生することが出来る。また、記録再生情報専用メモリや再生不要領域情報専用メモリは別々に設けなくともよく、１つのメモリで兼用しても良い。
【００３０】
以上説明したように、本発明の実施形態は、次のような構成を備え、機能又は作用を奏することを特徴とするものである。すなわち、テレビ放送またはビデオ信号をデジタル信号として記録できる記録再生装置において、テレビ放送の予約番組を記録する場合、予約番組の放送日時と放送チャンネルなどの情報を蓄えることが出来る連続再生情報専用メモリを有することで帯番組の検出する手段と、情報を蓄えた連続再生情報専用メモリから情報を読み出しユーザーが必要な帯番組を連続再生する手段と、検出された帯番組を連続再生する際、ユーザーが特定の記録領域を読み飛ばすための再生不要領域情報を専用のメモリに蓄える手段を備えた構成である。
【００３１】
また、このような記録再生装置において、前記連続再生情報専用メモリによって検出された帯番組を連続再生する際、再生不要領域情報専用メモリの情報を参照し再生不要領域をスキップ可能な手段を備えた構成である。また、このような記録再生装置において、テレビ放送の連続ドラマ番組や連続アニメーション番組の市販ＤＶＤパッケージソフトにおいて再生不要領域の情報を再生不要領域情報専用メモリの蓄える手段を備えた構成である。
【００３２】
さらに、前記記録再生装置において、ＴＶ番組の連続放送の市販ＤＶＤパッケージソフトにおいて再生不要領域情報を参照し、再生不要領域をスキップ可能な手段を備えた構成である。このような構成によりＴＶ放送またはアナログビデオ信号をＭＰＥＧ２形式のデジタル信号に変換して記録する記録再生装置において、ＴＶ放送の帯番組を連続再生する場合や、市販のテレビ放送の連続ドラマ番組や連続アニメーション番組のＤＶＤパッケージソフトを連続再生する場合、第一話目の再生時にＣＭ期間やオープニングおよびエンディングなどのスキップ期間を専用メモリに設定し、第２話目の再生からはこの専用メモリに蓄えられたスキップ期間の情報を参照することで連続して本編だけを再生することが可能となる。
【図面の簡単な説明】
【００３３】
【図１】本発明の実施形態に係る映像記録再生装置の構成を示す図ロック図である。
【図２】ＴＶ放送の帯番組を録画する際の録画情報設定フローを示す図である。
【図３】本実施形態に関するＴＶ放送帯番組の再生不要領域を設定する手順を示すフローチャートである。
【図４】本実施形態に関する連続記録再生情報専用メモリに格納される帯番組録画予約情報のテーブル表である。
【図５】本実施形態に関するＴＶ放送帯番組の再生不要領域を設定するタイミングを示す図である。
【図６】本実施形態に関するＴＶ放送帯番組におけるＣＭ、オープニング、本編、エンディング、ＣＭの配列例を示す図である。
【図７】本実施形態に関する再生不要領域情報専用メモリに格納される帯番組再生不要領域情報のテーブル表である。
【図８】市販ＤＶＤパッケージソフト再生不要領域設定フロー図
【図９】本実施形態に関する市販ＤＶＤパッケージソフトの再生不要領域を設定するタイミングを示す図である。
【図１０】本実施形態に関する再生不要領域情報専用メモリに格納される市販ＤＶＤパッケージソフトの再生不要領域情報のテーブル表である。
【図１１】本実施形態に関する再生不要領域情報専用メモリで設定されたＴＶ放送帯番組の再生不要領域情報を元にした再生の手順を示すフローチャートである。
【図１２】本実施形態に関するＴＶ放送の帯番組を連続再生する手順を示す説明図である。
【図１３】本実施形態に関する再生不要領域情報専用メモリで設定された市販ＤＶＤパッケージソフトの再生不要領域情報を元にした再生の手順を示すフローチャートである。
【図１４】本実施形態に関する市販ＤＶＤパッケージソフトを連続再生する手順を示す説明図である。
【符号の説明】
【００３４】
１  チューナ
２  Ａ／Ｄ変換部
３  ＭＰＥＧエンコーダ
４  リモコンインターフェース
５  リモコン
６  映像音声記録再生部（ハードディスク又はＤＶＤドライブ）
７  記録再生制御部
８  ＣＰＵ
９  ＭＰＥＧデコーダ
１０  Ｄ／Ａ変換部
１１  再生不要領域情報専用メモリ
１２  連続記録再生情報専用メモリ
１３  モニタＴＶ
１４  記録再生装置全体
【図１】
2007028414.tif 000003
【図２】
2007028414.tif 000004
【図３】
2007028414.tif 000005
【図４】
2007028414.tif 000006
【図５】
2007028414.tif 000007
【図６】
2007028414.tif 000008
【図７】
2007028414.tif 000009
【図８】
2007028414.tif 000010
【図９】
2007028414.tif 000011
【図１０】
2007028414.tif 000012
【図１１】
2007028414.tif 000013
【図１２】
2007028414.tif 000014
【図１３】
2007028414.tif 000015
【図１４】
2007028414.tif 000016